(57)【要約】【課題】動作環境の温度の影響を受けることなく安定して動作することができるプラズマディスプレイパネルの駆動方法を提供する。【解決手段】走査電極および維持電極とデータ電極との交差部に放電セルを形成してなるプラズマディスプレイパネルの駆動方法であって、１フィールド期間が初期化期間、書込み期間および維持期間を有する複数のサブフィールドから構成され、少なくとも１つのサブフィールドの初期化期間において、画像表示にかかわる全ての放電セルで放電を発生させる傾斜波形電圧を走査電極に印加する際、その傾斜波形電圧の到達値をパネル温度に基づいて制御する。【選択図】  図２
2004226792.tif 000002
【特許請求の範囲】
【請求項１】
走査電極および維持電極とデータ電極との交差部に放電セルを形成してなるプラズマディスプレイパネルの駆動方法であって、１フィールド期間が初期化期間、書込み期間および維持期間を有する複数のサブフィールドから構成され、少なくとも１つのサブフィールドの初期化期間において、画像表示にかかわる全ての放電セルで放電を発生させる傾斜波形電圧を前記走査電極に印加する際、前記傾斜波形電圧の到達値をパネル温度に基づいて制御することを特徴とするプラズマディスプレイパネルの駆動方法。
【請求項２】
パネル温度が低いとき傾斜波形電圧の到達値を高くし、パネル温度が高いとき傾斜波形電圧の到達値を低くすることを特徴とする請求項１に記載のプラズマディスプレイパネルの駆動方法。
【発明の詳細な説明】
【０００１】
【発明の属する技術分野】
本発明は、テレビジョン受像機や情報表示端末等の画像表示装置として用いるプラズマディスプレイパネルの駆動方法に関するものである。
【０００２】
【従来の技術】
図５は従来のＡＣ型のプラズマディスプレイパネル（ＰＤＰ）の要部を示す斜視図である。図５に示すように、ガラス製の前面基板１上に走査電極２と維持電極３とが対を成して複数付設されており、走査電極２および維持電極３を覆うように誘電体層４が形成され、誘電体層４上に保護層５が形成されている。ガラス製の背面基板６上に絶縁体層７で覆われた複数のデータ電極８が付設され、データ電極８の間の絶縁体層７上にデータ電極８と平行な隔壁９が設けられている。また、絶縁体層７の表面および隔壁９の側面に蛍光体層１０が設けられ、走査電極２および維持電極３とデータ電極８とが直交するように前面基板１と背面基板６とを放電空間を挟んで対向して配置している。放電空間には、放電ガスとして例えばネオンとキセノンの混合ガスが封入されている。
【０００３】
このＰＤＰでは、図６の電極配列図に示すように、列方向にはｍ個のデータ電極Ｄ１〜Ｄｍ（図５のデータ電極８）が配列されており、行方向にはｎ個の走査電極ＳＣＮ１〜ＳＣＮｎ（図５の走査電極２）および維持電極ＳＵＳ１〜ＳＵＳｎ（図５の維持電極３）が対を成して配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に１つの放電セルが形成される。
【０００４】
このＰＤＰを用いたプラズマディスプレイ装置は、映像信号の１フィールド期間を輝度の重みづけを有する複数のサブフィールドに分割し、各サブフィールドで輝度の重みづけに対応した回数だけ放電セルに放電を起こす。そして、放電を起こすサブフィールドを組み合わせることで映像信号の階調を表現する駆動方法が用いられており、全ての放電セルでの電荷の状態を初期化するための初期化放電については、緩やかな傾斜を有するランプ電圧を用いて弱い放電を起こすことにより不要な発光を抑制してコントラスト比を向上させる方法が提案されている（例えば特許文献１参照）。
【０００５】
図７は、従来のＰＤＰの駆動方法の一例を示す動作駆動タイミング図である。１フィールド期間を第１〜第８のサブフィールドで構成しており、これによって２５６階調の階調表示を行う。各サブフィールドはそれぞれ初期化期間、書込み期間、維持期間および消去期間から構成されている。まず、第１のサブフィールドにおける動作について説明する。
【０００６】
図７に示すように、第１のサブフィールドの初期化期間では、全てのデータ電極Ｄ１〜Ｄｍおよび全ての維持電極ＳＵＳ１〜ＳＵＳｎを０（Ｖ）に保持し、全ての走査電極ＳＣＮ１〜ＳＣＮｎには、全ての維持電極ＳＵＳ１〜ＳＵＳｎに対して放電開始電圧以下となる電圧Ｖｐ（Ｖ）から、放電開始電圧を越える電圧Ｖｒ（Ｖ）に向かって緩やかに上昇するランプ電圧を印加する。このランプ電圧が上昇する間に、全ての放電セルにおいて、走査電極ＳＣＮ１〜ＳＣＮｎからデータ電極Ｄ１〜Ｄｍおよび維持電極ＳＵＳ１〜ＳＵＳｎにそれぞれ一回目の微弱な初期化放電が起こり、走査電極ＳＣＮ１〜ＳＣＮｎ上（走査電極ＳＣＮ１〜ＳＣＮｎ上の保護層５の表面）に負の壁電荷が蓄積されるとともに、データ電極Ｄ１〜Ｄｍ上（データ電極Ｄ１〜Ｄｍ上の蛍光体層１０の表面）および維持電極ＳＵＳ１〜ＳＵＳｎ上（維持電極ＳＵＳ１〜ＳＵＳｎ上の保護層５の表面）に正の壁電荷が蓄積される。
【０００７】
その後、全ての維持電極ＳＵＳ１〜ＳＵＳｎを正電圧Ｖｈ（Ｖ）に保ち、全ての走査電極ＳＣＮ１〜ＳＣＮｎには、全ての維持電極ＳＵＳ１〜ＳＵＳｎに対して放電開始電圧以下となる電圧Ｖｇ（Ｖ）から放電開始電圧を越える０（Ｖ）に向かって緩やかに下降するランプ電圧を印加する。このランプ電圧が下降する間に、再び全ての放電セルにおいて、維持電極ＳＵＳ１〜ＳＵＳｎから走査電極ＳＣＮ１〜ＳＣＮｎに二回目の微弱な初期化放電が起こり、走査電極ＳＣＮ１〜ＳＣＮｎ上の負の壁電荷による壁電圧（負電圧）および維持電極ＳＵＳ１〜ＳＵＳｎ上の正の壁電荷による壁電圧（正電圧）が弱められる。一方、データ電極Ｄ１〜Ｄｍ上の正の壁電荷はそのまま保たれる。以上により初期化期間の初期化動作が終了する。この初期化動作で蓄積された壁電荷により、各放電セル内にかかる電圧は放電開始電圧に近い状態となる。
【０００８】
第１のサブフィールドの書込み期間では、全ての走査電極ＳＣＮ１〜ＳＣＮｎをＶｓ（Ｖ）に保持し、１行目からｎ行目まで順に走査電極ＳＣＮｉに走査パルス電圧０（Ｖ）を印加するとともに、各行において映像信号に対応したデータ電極Ｄｊに正の書込みパルス電圧Ｖｗ（Ｖ）を印加する。このとき、各放電セル内には初期化期間において蓄積された壁電荷が存在するため、書込みパルス電圧Ｖｗ（Ｖ）を印加したデータ電極Ｄｊと走査パルス電圧０（Ｖ）を印加した走査電極ＳＣＮｉとの交差部の放電セルでは、データ電極Ｄｊと走査電極ＳＣＮｉとの間および維持電極ＳＵＳｉと走査電極ＳＣＮｉとの間に書込み放電が起こり、走査電極ＳＣＮｉ上に正電圧が蓄積され、維持電極ＳＵＳｉ上およびデータ電極Ｄｊ上に負電圧が蓄積される。以上により書込み期間における書込み動作が終了する。
【０００９】
第１のサブフィールドの維持期間では、先ず、全ての走査電極ＳＣＮ１〜ＳＣＮｎおよび維持電極ＳＵＳ１〜ＳＵＳｎを０（Ｖ）に一旦戻した後、全ての走査電極ＳＣＮ１〜ＳＣＮｎと全ての維持電極ＳＵＳ１〜ＳＵＳｎに正の維持パルス電圧Ｖｍ（Ｖ）を交互に印加することにより、書込み放電を起こした放電セルにおいて、維持パルスが印加される度に走査電極ＳＣＮｉと維持電極ＳＵＳｉとの間に維持放電が発生する。そして、維持期間の最終において、全ての走査電極ＳＣＮ１〜ＳＣＮｎに正の維持パルス電圧Ｖｍ（Ｖ）を印加すると、維持放電を起こした放電セルにおいて、走査電極ＳＣＮｉと維持電極ＳＵＳｉとの間に維持放電が発生し、その放電セルにおける走査電極ＳＣＮｉ上に負電圧が蓄積され、維持電極ＳＵＳｉ上に正電圧が蓄積される。その後、維持パルス電圧は０（Ｖ）に戻る。以上により維持期間の維持動作が終了する。この維持放電によって発生する紫外線で各放電セルに設けられた蛍光体層を励起することにより、画像表示を行っている。
【００１０】
第１のサブフィールドの消去期間では、全ての維持電極ＳＵＳ１〜ＳＵＳｎに０（Ｖ）からＶｅ（Ｖ）に向かって緩やかに上昇するランプ電圧を印加すると、維持放電を起こした放電セルにおいて、維持電極ＳＵＳｉと走査電極ＳＣＮｉとの間に微弱な消去放電が起こり、走査電極ＳＣＮｉ上の負電圧と維持電極ＳＵＳｉ上の正電圧が弱められて維持放電は停止する。以上により消去期間における消去動作が終了する。
【００１１】
以上の動作において、表示が行われない放電セルに関しては、初期化期間に初期化放電は起こるが、書込み放電、維持放電および消去放電は行われず、表示が行われない放電セルでは、走査電極ＳＣＮｉ上と維持電極ＳＵＳｉ上の壁電荷、およびデータ電極Ｄｊ上の壁電荷は、第１のサブフィールドの初期化期間の終了時における状態のまま保たれる。
【００１２】
以上の初期化期間から消去期間における全ての動作により第１のサブフィールドによる画像が表示される。以下、同様な動作が、第２〜第８のサブフィールドにわたって行われる。これらのサブフィールドにおいて表示される放電セルの輝度は、維持パルス電圧Ｖｍ（Ｖ）の印加回数により定まる。したがって、例えば、各サブフィールドにおける維持パルス電圧の印加回数を適宜設定して、維持放電による輝度が２０、２１、２２、・・・２７である８個のサブフィールドで１フィールド期間を構成することにより、２８＝２５６階調の階調表示が可能になる。
【００１３】
図８は、以上で説明した構造のＰＤＰと駆動シーケンスを要する従来のプラズマ表示装置のブロック図である。図８には本発明に関連する構成要素を記載しており、実際のプラズマ表示装置に搭載されている信号入力部や音声出力など、他の構成要素は省略してある。ＰＤＰ２１には、走査電極、維持電極およびデータ電極をそれぞれ駆動するための走査電極駆動回路２２、維持電極駆動回路２３およびデータ電極駆動回路２４が接続されている。それぞれの駆動回路には信号処理回路２５が接続され、外部入力信号と内部信号とに基づいて制御信号を送っている。さらに、電源２６が設けられ、走査電極駆動回路２２、維持電極駆動回路２３、データ電極駆動回路２４および信号処理回路２５などに所定の電圧に設定された電力を供給している。そして、これらＰＤＰ２１と各種回路などを筐体内に収納することによりプラズマ表示装置を構成している。なお、図８中の矢印は、制御信号や電源供給などのやり取りを模式的に示したものである。
【００１４】
【特許文献１】
特開２０００−２５９１１７号公報
【００１５】
【発明が解決しようとする課題】
しかしながら、このようなプラズマディスプレイパネルでは、ガス放電を利用しているために動作可能な温度範囲が広くなってはいるが、動作環境の温度によっては表示不良が発生し、特に極めて低温の動作環境において表示不良が発生するという課題があった。
【００１６】
本発明は、このような課題を解決するためになされたものであり、動作環境の温度の影響を受けることなく安定して動作することができるプラズマディスプレイパネルの駆動方法を提供することを目的とする。
【００１７】
【課題を解決するための手段】
上記の課題について鋭意検討を重ねた結果、ＰＤＰの動作環境が低温になった場合に発生する表示不良は、初期化期間において放電セル内に形成される壁電荷が、室温程度の動作環境に比べてかなり少なくなることが原因であるということを突き止めた。この点について図９および図１０を用いて説明する。
【００１８】
図９はＰＤＰにおける放電開始電圧の温度依存性の一例であり、ＰＤＰの温度（パネル温度）が通常の使用環境と考えられる室温（以下では単に「室温」という）のときの放電開始電圧を基準として、パネル温度に対する放電開始電圧の変化量を示している。ここで、室温は２４℃としている。図９からわかるように、パネル温度が室温から上昇した場合の放電開始電圧の変化量は約４Ｖ以内であるのに対し、低温になった場合の放電開始電圧の変化量はかなり大きく、例えばパネル温度が０℃になると室温の場合に比べて約１５Ｖも上昇することがわかる。このように、パネル温度が室温から低下すると放電開始電圧は大きく上昇する。
【００１９】
ところで、書込み期間では初期化期間で蓄積した壁電荷を利用して書込み放電を行うため、書込み期間において書込み放電を確実に行うためには、書込み期間の前の初期化期間において各放電セルに壁電荷を適切に蓄積する必要がある。そのためには、初期化期間でランプ電圧を印加することによって必要かつ十分な初期化放電を発生させなければならないが、パネル温度が低くなると放電開始電圧が大きく上昇することにより、初期化期間において必要かつ十分な初期化放電が発生しなくなる。このことについて、図１０を用いて説明する。
【００２０】
図１０は、図７の初期化期間において走査電極に印加する初期化電圧波形を表しており、この初期化電圧波形は、パネルの使用環境が室温程度である場合を想定して設定されたものである。図１０において、Ｖｆｓ０（Ｖ）はパネル温度が室温のときの走査電極とデータ電極との間の放電開始電圧を表しており、Ｖｆｓ１（Ｖ）はパネル温度が０℃のときの走査電極とデータ電極との間の放電開始電圧を表している。ここでは、ある放電セルにおける走査電極とデータ電極との間の放電について説明するが、走査電極と維持電極との間の放電についても同様のことが言える。
【００２１】
まず、通常の使用環境と考えられる室温における動作について説明する。走査電極には、データ電極に対して放電開始電圧以下である電圧Ｖｐ（Ｖ）から、放電開始電圧を越える電圧Ｖｒ（Ｖ）に向かって緩やかに上昇するランプ電圧を印加する。このランプ電圧が上昇する過程で、着目する放電セルの走査電極とデータ電極との間の放電開始電圧Ｖｆｓ０（Ｖ）を越えると、走査電極とデータ電極との間に一回目の微弱な初期化放電が起き、走査電極上には負の壁電荷が蓄積され、データ電極上には正の壁電荷が蓄積される。この初期化放電は、ランプ電圧が上昇し続ける間は継続的に発生するが、ランプ電圧の上昇がなくなると停止する。したがって、この一回目の初期化放電の持続時間は、ランプ電圧が走査電極とデータ電極間の放電開始電圧Ｖｆｓ０（Ｖ）を越えてからランプ電圧の上昇が終了するまでの時間であり、この持続時間が長いほど蓄積される壁電荷の絶対値は大きくなる。なお、この持続時間が長すぎると壁電荷の蓄積量が過大になり、二回目の初期化放電でも適切に弱めることができなくなるために、続いて行われる書込み動作や維持動作において異常放電が発生するようになる。そこで、初期化期間では、初期化放電が適切に行われるようにランプ電圧の到達値Ｖｒ（Ｖ）を設定している。
【００２２】
ところが、図９に示すような特性を有するパネルでは、使用環境の温度が低くなりパネル温度が例えば０℃の場合には、着目する放電セルの走査電極とデータ電極との間の放電開始電圧Ｖｆｓ１（Ｖ）は室温における放電開始電圧Ｖｆｓ０（Ｖ）に比べて約１５Ｖ高くなる。この状態での初期化放電の持続時間は、ランプ電圧がＶｆｓ１（Ｖ）を越えてからＶｒ（Ｖ）に達するまでの期間であり、パネル温度が室温の場合における初期化放電の持続時間と比較すると短くなるため、室温での動作状態よりも壁電荷の蓄積量が減少することになる。すなわち、０℃における初期化放電後の壁電荷の状態は、室温における初期化放電後の壁電荷の状態よりも不十分なものとなり、後に続く書込み動作と維持動作が適切に行われなくなる。これが原因となって、極めて低温の動作環境においてＰＤＰの表示不良が発生するということを見出した。
【００２３】
本発明は以上の知見に基づいてなされたものであり、本発明は、走査電極および維持電極とデータ電極との交差部に放電セルを形成してなるプラズマディスプレイパネルの駆動方法であって、１フィールド期間が初期化期間、書込み期間および維持期間を有する複数のサブフィールドから構成され、少なくとも１つのサブフィールドの初期化期間において、画像表示にかかわる全ての放電セルで放電を発生させる傾斜波形電圧を前記走査電極に印加する際、前記傾斜波形電圧の到達値をパネル温度に基づいて制御することを特徴とする。
【００２４】
【発明の実施の形態】
以下、本発明の一実施の形態について図面を用いて説明する。
【００２５】
本発明の一実施の形態によるプラズマ表示装置のブロック図を図１に示す。本実施の形態によるプラズマ表示装置は、図８に示した従来のプラズマ表示装置とほぼ同じ構成であり、異なる点は、パネル温度を検出するための温度検出手段２７と、温度検出手段２７によって検出したパネル温度の情報に基づいて電源２６の出力電圧を制御する制御手段２８とを有している点である。ここで、従来のプラズマ表示装置と同じ構成については同じ番号を付している。ＰＤＰ２１、走査電極駆動回路２２、維持電極駆動回路２３、データ電極駆動回路２４、信号処理回路２５、電源２６および制御手段２８はプラズマ表示装置の筐体内に収納されている。また、温度検出手段２７は例えばプラズマ表示装置の筐体に取り付けられており、この温度検出手段２７はプラズマ表示装置の筐体内部に設けるようにしてもよい。なお、ＰＤＰ２１の構造は図５を用いて説明したものと同じであり、ＰＤＰ２１の電極配列は図６を用いて説明したものと同じである。
【００２６】
次に、本実施の形態によるＰＤＰの駆動方法について図面を用いて説明する。ＰＤＰの駆動方法は、従来の駆動方法と同様に、１フィールド期間を例えば第１〜第８のサブフィールドで構成しており、これによって２５６階調の階調表示を行う。各サブフィールドはそれぞれ初期化期間、書込み期間、維持期間および消去期間から構成されており、各電極に印加する駆動電圧波形は初期化期間を除いて従来と同様である。本実施の形態では、初期化期間において走査電極に印加する駆動電圧波形をパネル温度によって変化させており、この点が従来の駆動方法と異なる。
【００２７】
図２は、本実施の形態によるＰＤＰの駆動電圧波形のうち、初期化期間において走査電極に印加する駆動電圧波形を表しており、図２（ａ）はパネル温度が室温の場合の駆動電圧波形であり、同図（ｂ）はパネル温度が室温よりも低い場合の駆動電圧波形である。なお、初期化期間において、全てのデータ電極Ｄ１〜Ｄｍは０（Ｖ）に保持されており、また、全ての維持電極ＳＵＳ１〜ＳＵＳｎは最初０（Ｖ）に保持され、その後、初期化期間の途中から正電圧Ｖｈ（Ｖ）に保持されており、これらは従来の場合と同様である。
【００２８】
図２（ａ）に示す駆動電圧波形では、パネル温度が室温の場合に必要かつ十分な初期化放電が発生することによりＰＤＰ内の画像表示にかかわる全ての放電セルに適切に壁電荷が蓄積されるように、Ｖｐ（Ｖ）から緩やかに上昇するランプ電圧（傾斜波形電圧）の到達値Ｖｒ０（Ｖ）を設定している。すなわち、初期化期間に続く書込み期間において、表示データに対応した書込み放電を正常に行うことができるように、ランプ電圧の到達値Ｖｒ０（Ｖ）を設定している。
【００２９】
次に、図２（ｂ）に示す駆動電圧波形では、ランプ電圧の到達値Ｖｒ１（Ｖ）をＶｒ０（Ｖ）よりも高い値に設定しており、ランプ電圧の傾斜は図２（ａ）の場合と同じにしている。図１０を用いて説明したように、パネル温度が低温の場合には放電セルの放電開始電圧が室温時に比べて上昇するので、この低温時における放電開始電圧の上昇分を補うように、ランプ電圧の到達値Ｖｒ１（Ｖ）をＶｒ０（Ｖ）よりも高い値に補正している。これにより、パネル温度が低温時での初期化放電の持続時間を、室温時での初期化放電の持続時間と同等にすることができるので、低温時においても室温時と同様に初期化放電によって適切に壁電荷が蓄積され、続いて行われる書込み動作、維持動作を正常に行うことができる。
【００３０】
このように、初期化期間において、画像表示にかかわる全ての放電セルで放電（初期化放電）を発生させるランプ電圧を走査電極ＳＣＮ１〜ＳＣＮｎに印加する際、そのランプ電圧の到達値をパネル温度に基づいて制御することにより、極めて低温の動作環境であるためにパネル温度が低温になった場合でもプラズマディスプレイパネルの表示動作を正常に行うことができる。
【００３１】
次に、動作環境が高温である場合について説明する。動作環境が高温であるためにパネル温度が高温になると、図９に示すように放電開始電圧が低下する。このとき、初期化期間において、動作環境が室温の場合を想定して設定された初期化波形を走査電極に印加すると、一回目の初期化放電の持続時間が長くなり各電極上には過剰な量の壁電荷が蓄積され、二回目の初期化放電でも弱めきれずに過剰な量の壁電荷が残り、後に続く書込み動作および維持動作において異常放電が発生することになる。
【００３２】
そこで、動作環境が高温である場合、初期化期間において走査電極に印加する駆動電圧波形を図３に示すように設定する。すなわち、電圧Ｖｐ（Ｖ）から緩やかに上昇するランプ電圧の到達値Ｖｒ２（Ｖ）を、室温時に印加するランプ電圧の到達値Ｖｒ０（Ｖ）よりも低い値に設定しており、この値Ｖｒ２（Ｖ）は温度検出手段２７によって検出したパネル温度に基づいて制御している。なお、データ電極Ｄ１〜Ｄｍや維持電極ＳＵＳ１〜ＳＵＳｎに印加される駆動電圧波形は従来の場合と同様である。
【００３３】
このようにランプ電圧の到達値Ｖｒ２（Ｖ）を設定することで、放電セルの放電開始電圧Ｖｆｓ２（Ｖ）がＶｆｓ０（Ｖ）よりも低下する分を補正し、これによって、初期化放電の持続時間を室温時の初期化放電の持続時間とほぼ同じとすることができるので、壁電荷の過度の蓄積に起因する異常放電を防止できる。
【００３４】
以上説明したように、本実施の形態では、温度検出手段２７によってパネル温度を検出し、その検出されたパネル温度に基づいてランプ電圧の到達値を制御しており、パネル温度が低い場合はランプ電圧の到達値を高く設定し、パネル温度が高い場合はランプ電圧の到達値を低く設定している。すなわち、パネル温度の変化に伴う放電セルの放電開始電圧の変化を補正するようにランプ電圧の到達値を制御しているので、広い動作温度範囲において初期化放電による壁電荷の蓄積量を適切に保つことができ、安定な書込み放電および維持放電を実現できる。
【００３５】
上記実施の形態においてパネル温度に基づいて制御しているランプ電圧の到達値は、パネル温度の変化に伴う放電セルの放電開始電圧の変化に正確に合わせて変化させる必要はなく、続く書込み放電および維持放電が正常に行われる範囲内で変化させれば良い。このランプ電圧の到達値を制御する概念を図４に示す。図４中の曲線ａは、図９に示したパネル温度に対する放電セルの放電開始電圧の変化量を表している。そして、ハッチングで示す領域ｂは、パネル温度の変化に伴ってランプ電圧の到達値を補正する際における補正量の許容範囲の一例を示しており、ランプ電圧の到達値Ｖｒ０（Ｖ）を基準とした変化量で表している。このように、パネル温度の変化に対応して領域ｂの範囲でランプ電圧の到達値を変化させることにより、初期化放電を適切に行うことができ、続く書込み放電および維持放電を正常に行うことができるので、ＰＤＰを安定して動作させることができる。
【００３６】
なお、図１に示したプラズマ表示装置では温度検出手段２７の出力が電源２６にフィードバックされるように構成しているが、本発明はこの構成に限定されるものではない。例えば、ランプ電圧を供給するための電源などが走査電極駆動回路２２に組み込まれていることもあり、このような場合には温度検出手段２７の出力を走査電極駆動回路２２にフィードバックすることにより、本発明を実施すればよい。
【００３７】
また、上記実施の形態では、１フィールドを構成する各サブフィールドが初期化期間、書込み期間、維持期間および消去期間からなり、全サブフィールドの初期化期間において表示に関係する全ての放電セルで初期化放電を起こす場合について説明したが、他の場合についても本発明を適用することができる。例えば、１フィールドを構成する複数の各サブフィールドが初期化期間、書込み期間および維持期間を有し、少なくとも１つのサブフィールドの初期化期間において表示に関係する全ての放電セルで初期化放電を起こし、その他のサブフィールドの初期化期間ではその直前の維持期間において維持放電を起こした放電セルでのみ初期化放電を起こすような駆動を行う場合にも本発明を適用することにより、同様の効果を得ることができる。すなわち、１フィールド期間が初期化期間、書込み期間および維持期間を有する複数のサブフィールドから構成され、少なくとも１つのサブフィールドの初期化期間において、画像表示にかかわる全ての放電セルで放電を発生させる傾斜波形電圧を走査電極に印加する際、その傾斜波形電圧の到達値をパネル温度に基づいて制御することにより、ＰＤＰを安定して動作させることができる。
【００３８】
さらに、上記実施の形態では、傾斜波形電圧として緩やかに変化するランプ電圧を用いた場合について説明したが、強放電を起こさない範囲の傾斜を有する傾斜電圧波形であれば他の電圧波形であっても本発明を適用することができる。
【００３９】
【発明の効果】
以上の説明からわかるように、本発明によれば、動作環境の温度の影響を受けることなくプラズマディスプレイパネルを安定して動作させることができる。
【図面の簡単な説明】
【図１】本発明の一実施の形態におけるプラズマ表示装置のブロック図
【図２】（ａ）、（ｂ）は本発明の一実施の形態においてプラズマディスプレイパネルに印加する初期化電圧波形を示す波形図
【図３】本発明の一実施の形態においてプラズマディスプレイパネルに印加する初期化電圧波形を示す波形図
【図４】本発明の一実施の形態におけるランプ電圧の到達値の補正量を示す図
【図５】従来のプラズマディスプレイパネルの要部を示す斜視図
【図６】同プラズマディスプレイパネルの電極配列を示す概略平面図
【図７】同プラズマディスプレイパネルの駆動動作タイミング図
【図８】従来のプラズマ表示装置のブロック図
【図９】従来のプラズマディスプレイパネルにおける放電開始電圧の温度依存性を示す特性図
【図１０】同プラズマディスプレイパネルに印加する初期化電圧波形を示す波形図
【符号の説明】
２  走査電極
３  維持電極
８  データ電極
２１  プラズマディスプレイパネル
２２  走査電極駆動回路
２３  維持電極駆動回路
２４  データ電極駆動回路
２５  信号処理回路
２６  電源
２７  温度検出手段
２８  制御手段
【図１】
2004226792.tif 000003
【図２】
2004226792.tif 000004
【図３】
2004226792.tif 000005
【図４】
2004226792.tif 000006
【図５】
2004226792.tif 000007
【図６】
2004226792.tif 000008
【図７】
2004226792.tif 000009
【図８】
2004226792.tif 000010
【図９】
2004226792.tif 000011
【図１０】
2004226792.tif 000012